【手続補正書】
【提出日】平成16年4月9日(2004.4.9)
【手続補正１】
【補正対象書類名】明細書
【補正対象項目名】特許請求の範囲
【補正方法】変更
【補正の内容】
【特許請求の範囲】
【請求項１】
スケジュールアプリケーションにスケジュールデータを入力するデータ入力手段と、上記入力されたスケジュールデータを表示するためのデータ表示手段と、上記入力したスケジュールデータを記憶するデータ記憶手段と、外部の機器と通信を行うための通信手段とを備えた携帯情報端末装置において、
上記スケジュールアプリケーションに登録されたスケジュールデータに対応して、上記通信手段による着信時の着信音の鳴動規制を登録する着信音規制登録手段と、
上記通信手段の着信時に携帯情報端末装置の動作により該着信を知らせる方法を登録する着信方法登録手段とを備え、
上記通信手段が着信した場合の着信音の鳴動制御または、着信を知らせる方法に基づいて設定された携帯情報端末装置の動作のうちの少なくとも一つを上記スケジュールアプリケーションに登録されたスケジュールデータ単位に設定することを特徴とする携帯情報端末装置。
【請求項２】
請求項１記載の携帯情報端末装置において、
上記通信手段によって着信が行われた際の着信履歴情報、または上記通信手段によって発信を行った際の発信履歴情報を記憶するための発着信履歴情報記憶手段を備え、
上記スケジュールアプリケーションにおいて上記通信手段を用いるスケジュールデータの表示が行われているときに、当該スケジュールと関連する発着信履歴情報を上記発着信履歴情報記憶手段から抽出して当該スケジュールデータとともに上記表示手段に表示することを特徴とする携帯情報端末装置。
【請求項３】
請求項１記載の携帯情報端末装置において、
スケジュールアプリケーションをアドレス帳アプリケーションに置き換えた、
ことを特徴とする携帯情報端末装置。
【請求項４】
請求項３記載の携帯情報端末装置において、
上記通信手段の着信または発信回数の少なくとも一つを記憶するための発着信履歴記憶手段と、
上記発着信履歴記憶手段の記憶内容に基づいて、上記アドレス帳アプリケーションに登録されたアドレスデータを所定の順番に並べ替えるデータ整列手段とを備えたことを特徴とする携帯情報端末装置。
【請求項５】
請求項３記載の携帯情報端末装置において、
上記通信手段の着信または発信履歴の少なくとも一つを記憶するための発着信履歴記憶手段を備え、
上記入力したアドレスデータを上記表示手段により表示する際に、上記発着信履歴記憶手段に記憶された、上記アドレスデータに対応する情報を、併せて表示することを特徴とする携帯情報端末装置。
【手続補正２】
【補正対象書類名】明細書
【補正対象項目名】０００７
【補正方法】変更
【補正の内容】
【０００７】
【課題を解決するための手段】
本発明の請求項１にかかる携帯情報端末装置は、スケジュールアプリケーションにスケジュールデータを入力するデータ入力手段と、上記入力されたスケジュールデータを表示するためのデータ表示手段と、上記入力したスケジュールデータを記憶するデータ記憶手段と、外部の機器と通信を行うための通信手段とを備えた携帯情報端末装置において、上記スケジュールアプリケーションに登録されたスケジュールデータに対応して、上記通信手段による着信時の着信音の鳴動規制を登録する着信音規制登録手段と、上記通信手段の着信時に携帯情報端末装置の動作により該着信を知らせる方法を登録する着信方法登録手段とを備え、上記通信手段が着信した場合の着信音の鳴動制御または、着信を知らせる方法に基づいて設定された携帯情報端末装置の動作のうちの少なくとも一つを上記スケジュールアプリケーションに登録されたスケジュールデータ単位に設定するようにしたものである。


【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
また、本発明の請求項３にかかる携帯情報端末装置は、請求項１記載の携帯情報端末装置において、スケジュールアプリケーションをアドレス帳アプリケーションに置き換えたものである。


【手続補正５】
【補正対象書類名】明細書
【補正対象項目名】００１１
【補正方法】変更
【補正の内容】
【００１１】
また、本発明の請求項４にかかる携帯情報端末装置は、上記請求項３記載の携帯情報端末装置において、上記通信手段の着信または発信回数の少なくとも一つを記憶するための発着信履歴記憶手段と、上記発着信履歴記憶手段の記憶内容に基づいて、上記アドレス帳アプリケーションに登録されたアドレスデータを所定の順番に並べ替えるデータ整列手段とを備えたものである。


【手続補正６】
【補正対象書類名】明細書
【補正対象項目名】００１２
【補正方法】変更
【補正の内容】
【００１２】
また、本発明の請求項５にかかる携帯情報端末装置は、上記請求項３記載の携帯情報端末装置において、上記通信手段の着信または発信履歴の少なくとも一つを記憶するための発着信履歴記憶手段を備え、上記入力したアドレスデータを上記表示手段により表示する際に、上記発着信履歴記憶手段に記憶された、上記アドレスデータに対応する情報を、併せて表示するようにしたものである。


【手続補正７】
【補正対象書類名】明細書
【補正対象項目名】００１３
【補正方法】削除
【補正の内容】
【手続補正８】
【補正対象書類名】明細書
【補正対象項目名】００１８
【補正方法】変更
【補正の内容】
【００１８】
さらに、また、図４は、電話アプリケーション選択中に、表示装置有効領域３１に表示される、スケジュールでの電話着信制御設定による電話着信規制中の電話アプリケーション表示画面の一例を示す模式図であり、図４において、電話着信規制中画面には、電話情報表示領域５３に着信規制中情報５４を表示している。
また、電話情報表示領域５３の下部左側には、電話番号入力ボタン５０を配置し、電話情報表示領域５３の下部右側には、機能呼び出しボタン５２を配置し、機能呼び出しボタン５２の下部には、電話番号クリアボタン５１を配置している。


【手続補正９】
【補正対象書類名】明細書
【補正対象項目名】００２７
【補正方法】変更
【補正の内容】
【００２７】
使用者が、入力装置１を用いて設定操作を電話着信制御設定ボタン４６に対して行った場合、入力制御部２は記憶手段２０から入力領域情報を取得し、これを該設定操作によって入力装置１から発生した入力信号と照合して、操作イベントを発生させ、信号バス１１を通じて全体制御部１０へ操作イベントを送信する。
該操作イベントを受信した全体制御部１０は、記憶手段２０からスケジュールアプリケーションの現在の操作モードに応じた操作イベント情報を取得し、該操作イベントと照合し、スケジュールデータベース１８に既に登録済みの該電話着信制御設定操作の行われた電話着信制御設定ボタン４６と対をなして表示されるスケジュールデータに関する電話着信制御設定データとしてスケジュールデータベース１８に登録するためのデータベース登録イベントを生成し、信号バス１１を通じてデータベース制御部２０に送信する。


【手続補正１０】
【補正対象書類名】明細書
【補正対象項目名】００３１
【補正方法】変更
【補正の内容】
【００３１】
以上のように、本実施の形態１によれば、スケジュール週単位表示画面の各スケジュールデータ表示と対をなすよう表示された電話着信制御設定ボタン４６を操作することにより、該各スケジュールデータと関連させて電話着信の鳴動規制を行うようにしたので、スケジュールに合わせて事前に電話着信規制を設定予約することができ、従来のように別途用意される電話着信制御設定画面だけで電話着信制御設定を行う場合に比べて、操作性を向上でき、その結果、重要会議中等で絶対に着信音を鳴らしたくない場合などにも確実に着信音を停止できるという効果がある。


【手続補正１１】
【補正対象書類名】明細書
【補正対象項目名】００６４
【補正方法】削除
【補正の内容】
【手続補正１２】
【補正対象書類名】明細書
【補正対象項目名】００６８
【補正方法】削除
【補正の内容】